(57)【要約】  ワイヤレスローカルエリアネットワーク（ＷＬＡＮ）において拡張フレーム間スペース（ＥＩＦＳ）を回避するための方法、システム、およびデバイスについて説明する。ワイヤレスデバイスは、送信機会（ＴＸＯＰ）中に、第１のデータレートで送信される第１の部分と、第１のレートよりも高い第２のレートで送信される第２の部分とを含むメッセージを送信し得る。ワイヤレスデバイスは、次いで、第１のデータレートで終了メッセージを送信し得る。ワイヤレスデバイスはまた、終了メッセージを送信するより前に、第２のメッセージを受信し得る。終了メッセージは送信可メッセージ（ＣＴＳ）または肯定応答（ＡＣＫ）メッセージであり得る。第１のメッセージは、第１の部分がプリアンブルであり、第２の部分がＭＰＤＵであるアグリゲート・メディアアクセス制御パケット・データ・ユニット（Ａ−ＭＰＤＵ）であり得る。
2017512413.tif 000002
【特許請求の範囲】
【請求項１】
送信機会（ＴＸＯＰ）中に第１のメッセージを送信することと、ここにおいて、前記第１のメッセージが、第１のデータレートで送信される第１の部分と、前記第１のデータレートよりも高い第２のデータレートで送信される第２の部分とを備える、
前記第１のデータレートで終了メッセージを送信することと
を備えるワイヤレス通信の方法。
【請求項２】
前記終了メッセージを送信するより前に第２のメッセージを受信すること
をさらに備える、請求項１に記載の方法。
【請求項３】
前記第２のメッセージが、前記第１のデータレートで送信される第３の部分と、前記第１のデータレートよりも高い第３のデータレートで送信される第４の部分とを備える、請求項２に記載の方法。
【請求項４】
前記終了メッセージが送信可（ＣＴＳ）メッセージを備える、請求項１に記載の方法。
【請求項５】
前記終了メッセージが肯定応答（ＡＣＫ）メッセージを備える、請求項１に記載の方法。
【請求項６】
前記第１のメッセージが前記ＴＸＯＰの始めに送信され、前記方法が、
前記第１のメッセージの持続時間フィールド中で前記終了メッセージの終わりまで拡張する持続時間を示すこと
をさらに備える、請求項１に記載の方法。
【請求項７】
前記終了メッセージを前記終了メッセージの送信機にアドレス指定すること
をさらに備える、請求項１に記載の方法。
【請求項８】
前記終了メッセージを前記送信機会の最新の受信側にアドレス指定すること
をさらに備える、請求項１に記載の方法。
【請求項９】
前記終了メッセージをグループアドレスにアドレス指定すること
をさらに備える、請求項１に記載の方法。
【請求項１０】
前記終了メッセージをランダムアドレスにアドレス指定すること
をさらに備える、請求項１に記載の方法。
【請求項１１】
前記第１のメッセージがアグリゲートＭＰＤＵ（Ａ−ＭＰＤＵ）を備え、前記第１の部分が前記Ａ−ＭＰＤＵのプリアンブルを備え、前記第２の部分が前記Ａ−ＭＰＤＵのＭＰＤＵを備える、請求項１に記載の方法。
【請求項１２】
前記終了メッセージが前記終了メッセージの第１の部分と前記終了メッセージの第２の部分とを備え、
前記終了メッセージの前記第１の部分と前記終了メッセージの前記第２の部分とが同じデータレートで送信される、請求項１に記載の方法。
【請求項１３】
送信機会（ＴＸＯＰ）中に第１のメッセージを送信するための手段と、ここにおいて、前記第１のメッセージが、第１のデータレートで送信される第１の部分と、前記第１のデータレートよりも高い第２のデータレートで送信される第２の部分とを備える、
前記第１のデータレートで終了メッセージを送信するための手段と
を備えるワイヤレス通信のための装置。
【請求項１４】
前記終了メッセージを送信するより前に第２のメッセージを受信するための手段
をさらに備える、請求項１３に記載の装置。
【請求項１５】
前記第２のメッセージが、前記第１のデータレートで送信される第３の部分と、前記第１のデータレートよりも高い第３のデータレートで送信される第４の部分とを備える、請求項１４に記載の装置。
【請求項１６】
前記終了メッセージが送信可（ＣＴＳ）メッセージを備える、請求項１３に記載の装置。
【請求項１７】
前記終了メッセージが肯定応答（ＡＣＫ）メッセージを備える、請求項１３に記載の装置。
【請求項１８】
前記第１のメッセージが前記ＴＸＯＰの始めに送信され、前記装置が、
前記第１のメッセージの持続時間フィールド中で前記終了メッセージの終わりまで拡張する持続時間を示すための手段
をさらに備える、請求項１３に記載の装置。
【請求項１９】
前記終了メッセージを前記終了メッセージの送信機にアドレス指定するための手段
をさらに備える、請求項１３に記載の装置。
【請求項２０】
前記終了メッセージを前記送信機会の最新の受信側にアドレス指定するための手段
をさらに備える、請求項１３に記載の装置。
【請求項２１】
送信機会（ＴＸＯＰ）中に第１のメッセージを送信することと、ここにおいて、前記第１のメッセージが、第１のデータレートで送信される第１の部分と、前記第１のデータレートよりも高い第２のデータレートで送信される第２の部分とを備える、前記第１のデータレートで終了メッセージを送信することと、を行うための送信機
を備えるワイヤレス通信のための装置。
【請求項２２】
前記終了メッセージを送信するより前に第２のメッセージを受信するための受信機
をさらに備える、請求項２１に記載の装置。
【請求項２３】
前記第２のメッセージが、前記第１のデータレートで送信される第３の部分と、前記第１のデータレートよりも高い第３のデータレートで送信される第４の部分とを備える、請求項２２に記載の装置。
【請求項２４】
前記終了メッセージが送信可（ＣＴＳ）メッセージを備える、請求項２１に記載の装置。
【請求項２５】
前記終了メッセージが肯定応答（ＡＣＫ）メッセージを備える、請求項２１に記載の装置。
【請求項２６】
前記第１のメッセージが前記ＴＸＯＰの始めに送信され、前記装置が、
前記第１のメッセージの持続時間フィールド中で前記終了メッセージの終わりまで拡張する持続時間を示すように構成されたメッセージ持続時間セレクタ
をさらに備える、請求項２１に記載の装置。
【請求項２７】
送信機会（ＴＸＯＰ）中に第１のメッセージを送信することと、ここにおいて、前記第１のメッセージが、第１のデータレートで送信される第１の部分と、前記第１のデータレートよりも高い第２のデータレートで送信される第２の部分とを備える、
前記第１のデータレートで終了メッセージを送信することと
を少なくとも１つのデバイスに行わせるために、プロセッサによって実行可能な命令を記憶する、非一時的コンピュータ可読媒体。
【請求項２８】
前記命令が、
前記終了メッセージを送信するより前に第２のメッセージを受信すること
を前記少なくとも１つのデバイスに行わせるために、前記プロセッサによってさらに実行可能である、請求項２７に記載の非一時的コンピュータ可読媒体。
【請求項２９】
前記第２のメッセージが、前記第１のデータレートで送信される第３の部分と、前記第１のデータレートよりも高い第３のデータレートで送信される第４の部分とを備える、請求項２８に記載の非一時的コンピュータ可読媒体。
【請求項３０】
前記終了メッセージが送信可（ＣＴＳ）メッセージを備える、請求項２７に記載の非一時的コンピュータ可読媒体。
【発明の詳細な説明】
【技術分野】
【０００１】
相互参照
[0001]本特許出願は、各々が本出願の譲受人に譲渡された、２０１５年２月１３日に出願された「Avoiding Extended Interframe Space」と題する、Ｗｅｎｔｉｎｋによる米国特許出願第１４／６２２，５８０号、および２０１４年２月２４日に出願された「Avoiding Extended Interframe Space」と題する、Ｗｅｎｔｉｎｋによる米国仮特許出願第６１／９４３，８２１号の優先権を主張する。
【０００２】
[0002]以下は、一般にワイヤレス通信に関し、より詳細には、ワイヤレスローカルエリアネットワークにおいて拡張フレーム間スペース（ＥＩＦＳ：extended interframe space）を回避することに関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。
【０００４】
[0004]ワイヤレス通信ネットワークは、いくつかのワイヤレスデバイスのための通信をサポートすることができるアクセスポイント（ＡＰ）などのいくつかのネットワークデバイスを含み得る。ワイヤレスデバイスはネットワークデバイスと双方向に通信し得る。たとえば、ワイヤレスローカルエリアネットワーク（ＷＬＡＮ）では、局（ＳＴＡ：station）は、ダウンリンクおよびアップリンクを介して関連するＡＰと通信し得る。ダウンリンク（または順方向リンク）はＡＰから局への通信リンクを指し、アップリンク（または逆方向リンク）は局からＡＰへの通信リンクを指す。
【０００５】
[0005]ＷＬＡＮでは、複数の局が、競合ベースチャネルアクセスプロシージャ（a contention based channel access procedure）を使用してワイヤレス送信リソースを共有し得る。競合ベースシステムでは、異なる局が、送信し始める前に最後の正常に受信されたフレームの後で異なる時間期間の間待ち得る。この時間期間はバックオフカウンタ（a backoff counter）として知られ得る。フレームが正常に受信されない場合、局は、バックオフカウンタをデクリメントし（decrement）続ける前に、追加の時間期間、ＥＩＦＳの間待ち得る。ＥＩＦＳは、それが適切である場合、受信されたフレームに応答して肯定応答（ＡＣＫ：acknowledgement）を送るべき時間を別の局に与え（allow）得る。
【０００６】
[0006]フレームが正しく受信されるか否かは、メッセージが送られるレート、および送信機と受信機との間の距離を含む、いくつかのファクタに依存する。様々な局は、いくつかの局がフレームを正常に受信し、他の局がフレームを正常に受信しないような様式で互いに対して配置され得る。ＡＣＫが送られない場合、フレームを正常に受信する局は直ちにバックオフを開始し得るが、障害フレーム検査シーケンス（ＦＣＳ：a faulty frame check sequence）を受信する局はＥＩＦＳの間待ち得る。これは、バイアスされたアクセス手順を生じ得る。
【発明の概要】
【０００７】
[0007]説明する特徴は、一般に、ワイヤレスローカルエリアネットワーク（ＷＬＡＮ：wireless local area network）において拡張フレーム間スペース（ＥＩＦＳ）を回避するための１つまたは複数の改善されたシステム、方法、および装置に関する。ワイヤレスデバイスは、送信機会（ＴＸＯＰ：transmit opportunity）中に、第１のデータレートで送信される第１の部分と、第１のレートよりも高い第２のレートで送信される第２の部分とを含むメッセージを送信し得る。ワイヤレスデバイスは、次いで、第１のデータレートで終了メッセージを送信し得る。ワイヤレスデバイスは、終了メッセージを送信するより前に、第２のメッセージを受信し得る。一例として、終了メッセージは送信可メッセージ（ＣＴＳ：clear-to-send message）または肯定応答（ＡＣＫ）メッセージであり得る。第１のメッセージは、第１の部分がプリアンブルであり、第２の部分がＭＰＤＵであるアグリゲート・メディアアクセス制御パケット・データ・ユニット（Ａ−ＭＰＤＵ：aggregate media access control packet data unit）であり得る。
【０００８】
[0008]ワイヤレス通信の方法について説明する。本方法は、ＴＸＯＰ中に第１のメッセージを送信することを含む。第１のメッセージは、第１のデータレートで送信される第１の部分と、第１のデータレートよりも高い第２のデータレートで送信される第２の部分とを含む。終了メッセージは第１のデータレートで送信される。
【０００９】
[0009]ワイヤレス通信のための装置について説明する。本装置は、ＴＸＯＰ中に第１のメッセージを送信するための手段と、ここにおいて、第１のメッセージが、第１のデータレートで送信される第１の部分と、第１のデータレートよりも高い第２のデータレートで送信される第２の部分とを備える、第１のデータレートで終了メッセージを送信するための手段とを含む。
【００１０】
[0010]また、その中の送信機が、ＴＸＯＰ中に第１のメッセージを送信することと、ここにおいて、第１のメッセージが、第１のデータレートで送信される第１の部分と、第１のデータレートよりも高い第２のデータレートで送信される第２の部分とを備える、第１のデータレートで終了メッセージを送信することと、を行うように構成された、ワイヤレス通信のための装置について説明する。
【００１１】
[0011]また、非一時的コンピュータ可読媒体について説明する。本非一時的コンピュータ可読媒体は、ＴＸＯＰ中に第１のメッセージを送信することと、ここにおいて、第１のメッセージが、第１のデータレートで送信される第１の部分と、第１のデータレートよりも高い第２のデータレートで送信される第２の部分とを備える、第１のデータレートで終了メッセージを送信することと、を少なくとも１つのデバイスに行わせるために、プロセッサによって実行可能な命令を記憶する。
【００１２】
[0012]第２のメッセージは、終了メッセージを送信するより前に受信され得る。第２のメッセージは、第１のデータレートで送信される第３の部分と、第１のデータレートよりも高い第３のデータレートで送信される第４の部分とを含み得る。
【００１３】
[0013]終了メッセージは送信可（ＣＴＳ）メッセージまたは肯定応答（ＡＣＫ）メッセージを含み得る。
【００１４】
[0014]第１のメッセージはＴＸＯＰの始めに送信され得、第１のメッセージの持続時間フィールド中で、終了メッセージの終わりまで拡張する持続時間が示され得る。
【００１５】
[0015]終了メッセージは、終了メッセージの送信機、送信機会の最新の受信側（a latest recipient）、グループアドレス、またはランダムアドレスにアドレス指定され（addressed）得る。
【００１６】
[0016]第１のメッセージはアグリゲート・メディアアクセスレイヤ・プロトコル・データ・ユニット（Ａ−ＭＰＤＵ）を含み得、第１の部分はＡ−ＭＰＤＵのプリアンブルを含み、第２の部分はＡ−ＭＰＤＵのメディアアクセスレイヤ・プロトコル・データ・ユニット（ＭＰＤＵ：medium access layer protocol data unit）を含む。
【００１７】
[0017]説明する方法および装置の適用性のさらなる範囲は、以下の詳細な説明、特許請求の範囲、および図面から明らかになろう。当業者には詳細な説明の趣旨および範囲内の様々な変更および改変が明らかになるので、詳細な説明および特定の例は、例示として与えられるものにすぎない。
【００１８】
[0018]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１９】
【図１】[0019]様々な実施形態による、拡張フレーム間スペースを回避することをサポートするワイヤレスローカルエリアネットワーク（ＷＬＡＮ）の一例を示す図。
【図２】[0020]様々な実施形態による、ＷＬＡＮにおいて拡張フレーム間スペースを回避するためのシステムの一例を示す図。
【図３】[0021]様々な実施形態による、送信機会中のＷＬＡＮ通信の一例を示す図。
【図４】[0022]様々な実施形態による、送信機会中のＷＬＡＮ通信の一例を示す図。
【図５】[0023]様々な実施形態による、ＷＬＡＮにおいて拡張フレーム間スペースを回避するためのデバイスのブロック図。
【図６】[0024]様々な実施形態による、ＷＬＡＮにおいて拡張フレーム間スペースを回避するためのデバイスのブロック図。
【図７】[0025]様々な実施形態による、ＷＬＡＮにおいて拡張フレーム間スペースを回避するためのシステムのブロック図。
【図８】[0026]様々な実施形態による、ＷＬＡＮにおいて拡張フレーム間スペースを回避するための方法を示すフローチャート。
【図９】[0027]様々な実施形態による、ＷＬＡＮにおいて拡張フレーム間スペースを回避するための方法を示すフローチャート。
【詳細な説明】
【００２０】
[0028]説明する特徴は、一般に、ワイヤレスローカルエリアネットワーク（ＷＬＡＮ）において拡張フレーム間スペース（ＥＩＦＳ）を回避するための１つまたは複数の改善されたシステム、方法、および装置に関する。ワイヤレスデバイスは、送信機会（ＴＸＯＰ）中に、第１のデータレートで送信される第１の部分と、第１のレートよりも高い第２のレートで送信される第２の部分とを含むメッセージを送信し得る。ワイヤレスデバイスは、次いで、第１のデータレートで終了メッセージを送信し得る。終了メッセージはまた、第１の部分と第２の部分とを備え得る。ワイヤレスデバイスは、終了メッセージを送信するより前に、第２のメッセージを受信し得る。一例として、終了メッセージは送信可メッセージ（ＣＴＳ）または肯定応答（ＡＣＫ）メッセージであり得る。第１のメッセージは、第１の部分がプリアンブルであり、第２の部分がアグリゲートされたメディアアクセス制御パケット・データ・ユニット（Ａ−ＭＰＤＵ：aggregated media access control packet data unit）であるＡ−ＭＰＤＵであり得る。
【００２１】
[0029]（第１および第２の部分を含み得る）終了メッセージが、第１の（より低い）データレートで送られるので、（第２の部分を含む）終了メッセージを正しく受信することが可能であり得る局の範囲（range）は増大され得る。したがって、より高いデータレートで送信される第１のメッセージの第２の部分を受信および復号することができない局は、依然として、より低いデータレートで送られる（第２の部分を含む）終了メッセージを受信および復号することが可能であり得る。同様に、より高いデータレートで送信される第２のメッセージの第２の部分を受信および復号することができない局は、依然として、より低いデータレートで送られる（第２の部分を含む）終了メッセージを受信および復号することが可能であり得る。したがって、通常ならば、第１のメッセージ全体を復号することに失敗した後にＥＩＦＳの間待つことになるいくつかの局は、代わりに、それらが終了メッセージを受信するとすぐにバックオフカウンタを開始し得る。これは、局ロケーションに関してより公平なアクセスプロシージャを生じ得る。
【００２２】
[0030]本明細書で提示する技法は、一般に、簡単のためにＷＬＡＮに関して説明する。ＷＬＡＮ（またはＷｉ−Ｆｉ（登録商標）ネットワーク）は、様々なＩＥＥＥ８０２．１１規格（たとえば、８０２．１１ａ／ｇ、８０２．１１ｎ、８０２．１１ａｃ、８０２．１１ａｈなど）に記載されているプロトコルに少なくとも部分的に基づくネットワークを指すことがある。ただし、同じまたは同様の技法は、セルラーワイヤレスシステム、ピアツーピアワイヤレス通信、アドホックネットワーク、衛星通信システム、および他のシステムなどの様々な他のワイヤレス通信システムのために使用され得る。「システム」および「ネットワーク」という用語は、本明細書では互換的に使用され得る。
【００２３】
[0031]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２４】
[0032]最初に図１を参照すると、ＥＩＦＳ回避を行うように構成された（Ｗｉ−Ｆｉネットワークとしても知られる）ＷＬＡＮ１００が示されている。ＷＬＡＮ１００は、アクセスポイント（ＡＰ）１０５と複数の関連する局１１５とを含む。この例では、ＳＴＡ＿１、ＳＴＡ＿２、ＳＴＡ＿３、ＳＴＡ＿４、ＳＴＡ＿５、ＳＴＡ＿６、およびＳＴＡ＿７として識別される７つの局１１５（ＳＴＡ）が示されている。ただし、示されている数は説明のためのものにすぎないので、ＷＬＡＮ１００は、図１に示されている局よりも多いまたは少ない局１１５を有し得る。ＡＰ１０５および関連する局１１５は基本サービスセット（ＢＳＳ）を表し得る。ネットワーク中の様々な局１１５は、ＡＰ１０５を通して互いと通信することが可能である。また、ＷＬＡＮ１００の基本サービスエリア（ＢＳＡ）を表し得るＡＰ１０５のカバレージエリア１２０が示されている。図１には示されていないが、ＷＬＡＮ１００に関連する拡張されたネットワーク基地局は、一般に、複数のＡＰが拡張サービスセット中で接続されることを可能にし得るワイヤードまたはワイヤレス配信システム（ＤＳ：distribution system）に接続される。
【００２５】
[0033]ＡＰ１０５は、送信１３０を使用して局１１５の各々と双方向に通信するように構成され得る。送信１３０は、ＡＰ１０５から局１１５に送られるダウンリンク送信（たとえば、ビーコンフレーム）、ならびに局１１５からＡＰ１０５に送られるアップリンク送信（たとえば、肯定応答またはＡＣＫフレーム）を含み得る。一般に、ＡＰ１０５は、カバレージエリア１２０内にある局１１５にそれのダウンリンク送信をブロードキャストするように構成される。各局１１５は、局が送信中に互いに干渉するのを防ぐために、別の局またはＡＰが送信した後にバックオフ期間の間待ち得る。バックオフ期間は可能なバックオフ期間のセットからランダムに選択され得、そのセットは、局１１５の優先度レベルに少なくとも部分的に基づき得る。送信が局１１５によって不正確に受信された場合、その局は、バックオフカウントを開始する前にＥＩＦＳの間待ち得る。終了メッセージがＴＸＯＰの終わりに送られたとき、局１１５は、ＥＩＦＳの間待つことなしにバックオフカウントを開始し得る。
【００２６】
[0034]図２に、様々な実施形態による、ワイヤレス通信システム２００内の送信の一例を示す。第１のワイヤレスデバイスの送信タイムラインはＳＴＡ１と標示され、第２のワイヤレスデバイスの送信タイムラインはＳＴＡ２と標示される。本例では、ワイヤレスデバイスを局と呼ぶが、様々な例では、タイムラインの各々は、図１に関して、局１１５またはアクセスポイント１０５の送信を表し得る。第１のメッセージ２０５がＳＴＡ１によって送信される。第１のメッセージ２０５はフレームであり得る。第１のメッセージ２０５は、同じまたは異なるデータレートで送られ得る第１および第２の部分を備え得る。図２の例では、第１のメッセージは、第１のデータレートで送信されるプリアンブル２１０−ａと、第１のデータレートよりも高い第２のデータレートで送信されるいくつかのＭＰＤＵ２１０−ｂとを備える、アグリゲートされたＭＰＤＵ（Ａ−ＭＰＤＵ）であり得る。たとえば、プリアンブル２１０−ａは６Ｍｂｐｓで送信され得、ＭＰＤＵ２１０−ｂは２４Ｍｂｐｓで送信され得るが、他のデータレートが可能である。
【００２７】
[0035]第２のメッセージ２１５がＳＴＡ２によって送信され得る。図２に示されているように、第２のメッセージ２１５は、ＳＴＡ１によって送られたメッセージが正しく受信されたかどうかを示すブロック肯定応答（ＢＡ：block acknowledgement）または別のタイプのＡＣＫであり得る。代替的に、第２のメッセージ２１５は別のタイプのメッセージであり得る。第２のメッセージがＢＡまたはＡＣＫである場合、ＳＴＡ１からのさらなる肯定応答メッセージは予想されない。第２のメッセージ２１５はフレームであり得る。第２のメッセージ２１５は、同じまたは異なるデータレートで送られ得る第１および第２の部分を備え得る。第１および第２の部分が送られるデータレートは、第１のメッセージ２０５のデータレートと同じであるか、またはそれとは異なり得る。たとえば、第２のメッセージ２１５の第２の部分は、第１のメッセージ２０５の第１の部分と第２のメッセージ２１５の第１の部分とのデータレートよりも高いデータレートで送られ得る。これは、第１のメッセージ２０５の第２の部分のデータレートが第１のメッセージ２０５の第１の部分のデータレートよりも高いとき、行われ得る。たとえば、第１のメッセージ２０５の第１の部分は６Ｍｂｐｓで送信され得、第１のメッセージ２０５の第２の部分は３００Ｍｂｐｓで送信され得る。次いで、第２のメッセージ２１５の第１の部分は６Ｍｂｐｓで送信され得、第２のメッセージ２１５の第２の部分は２４Ｍｂｐｓのレートで送られ得る。第１のメッセージ２０５の第２の部分と第２のメッセージ２１５の第２の部分とは、この例では、ネットワークの少なくとも一部において、ＥＩＦＳが開始されることを引き起こすことになる。
【００２８】
[0036]終了メッセージ２２０がＳＴＡ１によって送信され得る。終了メッセージ２２０はフレームであり得る。終了メッセージ２２０はまた、第１の部分と第２の部分とを備え得る。第１の部分と第２の部分とは同じまたは異なるデータレートを用いて送信され得、それらのデータレートは、第１のメッセージ２０５の第１のデータレートと同じであり得る。終了メッセージ２２０は、ＳＴＡ１とＳＴＡ２とのためのＴＸＯＰが終わったことを示し得る。代替的に、終了メッセージ２２０は、さらなるＡＣＫがＳＴＡ１またはＳＴＡ２によって送られないであろうことを示し得る。他の局１１５（図示せず）は、終了メッセージ２２０を受信し得、（適用可能な場合、それの第１の部分と第２の部分の両方を含む）終了メッセージ２２０が第１のデータレートなどの第１の（より低い）データレートで送信され得るので、ＥＩＦＳ期間の間待つことなしにバックオフカウントを開始し得る。たとえば、終了メッセージ２２０は、第１のメッセージのヘッダと同じレート（たとえば、６Ｍｂｐｓ）で送られ得る。終了メッセージ２２０はＡＣＫメッセージまたは送信可（ＣＴＳ）メッセージを含み得る。他の例では、ショートフレームが使用され得る。
【００２９】
[0037]ショートフレーム間スペース（ＳＩＦＳ：short interframe space）２２５が、送信の各々の間に存在し得る。たとえば、ＳＩＦＳは１６マイクロ秒（μｓ）の間持続し得る。したがって、第２のメッセージ２１５の持続時間と２つのＳＩＦＳ期間とからなる、第１のメッセージと終了メッセージ２２０との間の遅延２３０があり得る。終了メッセージ２２０の後に、様々な局が、分散協調機能フレーム間スペース（ＤＩＦＳ：distributed coordination function interframe space）２３５中に競合ベースアクセスプロシージャを開始し得る。
【００３０】
[0038]図３に、送信機会中のワイヤレス通信システム３００内の送信の一例を示す。第１のワイヤレスデバイスの送信タイムラインはＳＴＡ１と標示され、第２のワイヤレスデバイスの送信タイムラインはＳＴＡ２と標示される。第１のメッセージ２０５がＳＴＡ１によって送信される。第２のメッセージ２１５がＳＴＡ２によって送信され得る。ＳＩＦＳ２２５が複数の送信（図示せず）間に存在し得る。第１のメッセージ２０５および第２のメッセージ２１５は、図２の対応する部分の例であり得る。
【００３１】
[0039]図２を参照しながら上記で説明したように、第１のメッセージ２０５の第１の部分（すなわち、図２の２１０−ａ）は第１のレートで送信され得、第２の部分（すなわち、図２の２１０−ｂ）は、第１のレートよりも高い第２のレートで送信され得る。第１の範囲３０５の垂直側（The vertical side of a first range 305）は、第１のメッセージ２０５の、第１のデータレートまたは第２のデータレートで送信されるデータを正しく受信し得るロケーションの範囲を表す。第２の範囲３１０の垂直側は、第２のデータレートでなく、第１のメッセージ２０５の第１のデータレートで送信されるデータを正しく受信し得るロケーションの範囲を表す。図３は、メッセージが２つの異なるデータレートを使用するので、第１の範囲３０５が第２の範囲３１０のサブセットである例を示している。たとえば、６Ｍｂｐｓで送信される第１のメッセージ２０５の第１の部分は、２４Ｍｂｐｓで送信される第２のメッセージ２１５の第２の部分よりも大きい範囲を有し得る。いくつかの局１１５（図示せず）は、第１の範囲３０５と重複しない第２の範囲３１０の一部に配置され得る。したがって、これらの局１１５は、第１のメッセージ２０５の一部を正しく受信することが可能であり得るが、そのすべてを正しく受信することが可能であるとは限らない。たとえば、局１１５は、Ａ−ＭＰＤＵのプリアンブルを正しく受信することが可能であるが、メッセージの本体内のアグリゲートされたＭＰＤＵを正しく受信することが可能でないことがある。
【００３２】
[0040]第３の範囲３１５の垂直側は、第２のメッセージ２１５の第１のデータレートで送信される第２のフレーム２１５の一部分を正しく受信し得るロケーションの範囲を表す。第４の範囲３２０の垂直側は、第２のメッセージ２１５の第２のデータレートで送信される第２のフレーム２１５の一部分を正しく受信し得るロケーションの範囲を表す。第２のメッセージ２１５の第１のデータレートは第３のデータレートであり得る。第３のデータレートは第１のメッセージ２０５の第１のデータレートと同じであり得るか、またはそれは異なり得る。第２のメッセージ２１５の第２のデータレートは第４のデータレートであり得る。第４のデータレートは、第１のメッセージ２０５の第２のデータレートと同じであるか、またはそれとは異なり得る。いくつかの実施形態（図示せず）では、第２のメッセージ２１５がないことがあり、場合によっては、第２のメッセージ２１５は単一のデータレートのみを有し得る。
【００３３】
[0041]ワイヤレス通信システム３００の図の右側には、示された範囲内の局１１５が図示されたＴＸＯＰ中にＥＩＦＳ期間の間待つことになるかどうかを示すラベルがある。第１のメッセージ２０５と第２のメッセージ２１５との最終フレームを正しく受信することができる局１１５は（それが存在する場合）、バックオフカウンタを開始する前に、ＥＩＦＳ期間の間待たないことになる。メッセージのある部分を受信するが、最後のメッセージの終わりに１つまたは複数のフレームを受信することができない局は、さらなる肯定応答が来ていない場合でも、ＥＩＦＳの間待ち得る。たとえば、ＳＴＡ１によって送られる６Ｍｂｐｓプリアンブルを受信することができるが、ＳＴＡ２によって送られる２４Ｍｂｐｓ  ＢＡを正しく受信することができない局１１５は、ＳＴＡ１がＢＡのためのＡＣＫを送らないことがあるにもかかわらず、ＥＩＦＳの間待ち得る。
【００３４】
[0042]図４に、様々な実施形態による、終了メッセージを用いて拡張フレーム間スペースを回避するためのワイヤレス通信システム４００内の送信の一例を示す。第１のワイヤレスデバイスの送信タイムラインはＳＴＡ１と標示され、第２のワイヤレスデバイスの送信タイムラインはＳＴＡ２と標示される。第１のメッセージ２０５がＳＴＡ１によって送信される。第２のメッセージ２１５がＳＴＡ２によって送信され得る。終了メッセージ２２０も、ＳＴＡ１によって送られ得る。ＳＩＦＳ２２５が複数の送信（図示せず）間に存在し得る。第１の範囲３０５の垂直側は、第１のメッセージ２０５の第１のデータレートで送信されるフレームを正しく受信し得るロケーションの範囲を表す。第２の範囲３１０の垂直側は、第１のメッセージ２０５の第２のデータレートで送信されるフレームを正しく受信し得るロケーションの範囲を表す。第３の範囲３１５の垂直側は、第２のメッセージ２１５の第１のデータレートで送信されるフレームを正しく受信し得るロケーションの範囲を表す。第４の範囲３２０の垂直側は、第２のメッセージ２１５の第２のデータレートで送信されるフレームを正しく受信し得るロケーションの範囲を表す。
【００３５】
[0043]図５に、様々な実施形態による、ＷＬＡＮにおいてＥＩＦＳを回避するためのワイヤレスデバイス５５０のブロック図５００を示す。ワイヤレスデバイス５５０は、図１〜図４を参照しながら説明した局１１５またはＡＰ１０５の一例であり得る。ワイヤレスデバイス５５０は、受信機５０５、ＥＩＦＳ回避器（an EIFS avoider）５１０、または送信機５１５を含み得る。ワイヤレスデバイス５５０はまた、プロセッサを含み得る。これらの構成要素の各々は互いと通信していることがある。
【００３６】
[0044]第１のメッセージ２０５、第２のメッセージ２１５、終了メッセージ２２０、第１の範囲３０５、第２の範囲３１０、第３の範囲３１５、および第４の範囲３２０は、図２または図３の対応する部分の例であり得る。図３の場合のように、ＳＴＡ２によって送られる第２のメッセージ２１５がないことがあり、第２のメッセージ２１５は、異なるデータレートで送信される部分からなることもならないこともある。
【００３７】
[0045]第５の範囲４０５の垂直側は、終了メッセージを正しく受信し得るロケーションの範囲を表す。終了メッセージが、第１のメッセージ２０５または第２のメッセージ２１５からの１つまたは複数のフレームよりも低いデータレートで送られ得るので、第５の範囲４０５は、１つまたは複数の方向で第１の範囲３０５、第２の範囲３１０、第３の範囲３１５、または第４の範囲３２０を越えて拡張し得る。図示されたケースでは、第５の範囲４０５は、終了メッセージ２２０が、より低いデータレートで送られる第１のメッセージ２０５の一部分と同じロケーションから同じデータレートで送られ得るので、第１の範囲３０５と同一の広がりを持ち（co-extensive with）得る。たとえば、ＳＴＡ１によって送られるＡ−ＭＰＤＵのプリアンブルは６Ｍｂｐｓで送られ得、ＭＰＤＵ自体は２４Ｍｂｐｓで送られ得、ＳＴＡ２によって送られるＢＡも２４Ｍｂｐｓで送られ得、（適用可能な場合、それの第２の部分を含む）終了メッセージは６Ｍｂｐｓで送られ得る。いくつかの局１１５（図示せず）は、それらが、第１のメッセージ２０５を用いて送られるＭＰＤＵ、または第２のメッセージ２１５として送られるＢＡを正しく受信することができないにもかかわらず、終了メッセージを受信することが可能であり得る。局は、この状況では、終了メッセージ２２０の正常な受信によりＥＩＦＳ期間の間待つことを回避し得るが、終了メッセージがない場合は、それらは（図３に示されているように）ＥＩＦＳの間待ち得る。
【００３８】
[0046]ワイヤレス通信システム４００の図の側には、示された範囲内の局１１５がＥＩＦＳ期間の間待つことになるかどうかを示すラベルがある。第１のメッセージ２０５と第２のメッセージ２１５とのすべての部分を正しく受信することができる局は（それが存在する場合）、ＥＩＦＳ期間を待たないことになる。メッセージのある部分を受信するが、最後のメッセージの終わりに１つまたは複数のフレームを受信することができない局は、さらなる肯定応答が来ていない場合でも、ＥＩＦＳの間待ち得る。たとえば、ＳＴＡ１によって送られる６Ｍｂｐｓプリアンブルを受信することができるが、ＳＴＡ２によって送られる２４Ｍｂｐｓ  ＢＡを正しく受信することができない局１１５は、ＳＴＡ１がＢＡのためのＡＣＫを送らないことがあるにもかかわらず、ＥＩＦＳの間待ち得る。
【００３９】
[0047]ワイヤレスデバイス５５０の構成要素は、適用可能な機能の一部または全部をハードウェアで実行するように適応された１つまたは複数の特定用途向け集積回路（ＡＳＩＣ）を用いて、個々にまたはまとめて実装され得る。代替的に、それらの機能は、１つまたは複数の他の処理ユニット（またはコア）によって、１つまたは複数の集積回路上で実行され得る。また、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化された（embodied in）命令を用いて実装され得る。
【００４０】
[0048]受信機５０５は、パケット、ユーザデータ、または様々な情報チャネル（たとえば、制御チャネル、データチャネルなど）に関連する制御情報などの情報を受信し得る。受信機は、終了メッセージを送信するより前にメッセージを受信するように構成され得る。情報は、ＥＩＦＳ回避器５１０と、ワイヤレスデバイス５５０の他の構成要素とに受け渡され得る。
【００４１】
[0049]送信機５１５と協調して、ＥＩＦＳ回避器５１０はＴＸＯＰ中に第１のメッセージを送信し得る。第１のメッセージは、第１のデータレートで送信される第１の部分と、第１のデータレートよりも高い第２のデータレートで送信される第２の部分とを備え得る。ＥＩＦＳ回避器５１０は、次いで、第１のデータレートで終了メッセージを送信し得る。終了メッセージを受信する局１１５は、ＥＩＦＳの間待つのではなく、バックオフカウントを開始し得る。
【００４２】
[0050]送信機５１５は、ワイヤレスデバイスの他の構成要素から受信された１つまたは複数の信号を送信し得る。送信機５１５はトランシーバ中で受信機５０５とコロケートされ（collocated with）得る。送信機５１５は１つまたは複数のアンテナを含み得る。
【００４３】
[0051]図６に、様々な実施形態による、ＷＬＡＮにおいてＥＩＦＳを回避するためのワイヤレスデバイス６５０のブロック図６００を示す。ワイヤレスデバイス６５０は、図１〜図５を参照しながら説明した局１１５、ＡＰ１０５、またはワイヤレスデバイス５５０の一例であり得る。ワイヤレスデバイス６５０は、受信機５０５−ａ、ＥＩＦＳ回避器５１０−ａ、または送信機５１５−ａを含み得る。ワイヤレスデバイス６５０はまた、プロセッサを含み得る。これらの構成要素の各々は互いと通信していることがある。ＥＩＦＳ回避器５１０−ａはまた、第１のメッセージ生成器６０５と、終了メッセージ生成器６１０と、データレートセレクタ６１５とを含み得る。
【００４４】
[0052]ワイヤレスデバイスの構成要素は、適用可能な機能の一部または全部をハードウェアで実行するように適応された１つまたは複数の特定用途向け集積回路（ＡＳＩＣ）を用いて、個々にまたはまとめて実装され得る。代替的に、それらの機能は、１つまたは複数の他の処理ユニット（またはコア）によって、１つまたは複数の集積回路上で実行され得る。当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化された命令を用いて実装され得る。
【００４５】
[0053]受信機５０５−ａは、ＥＩＦＳ回避器５１０−ａとワイヤレスデバイスの他の構成要素とに受け渡され得る情報を受信し得る。ＥＩＦＳ回避器５１０−ａは、図５を参照しながら上記で説明した動作を実行するように構成され得る。送信機５１５−ａは、ワイヤレスデバイス６５０の他の構成要素から受信された１つまたは複数のメッセージを送信し得る。
【００４６】
[0054]第１のメッセージ生成器６０５は、ＴＸＯＰ中に第１のメッセージを送信するように構成され得る。第１のメッセージは、第１のデータレートで送信される第１の部分と、第１のデータレートよりも高い第２のデータレートで送信される第２の部分とを備え得る。第１のメッセージは、第１のデータレートで送信されるプリアンブルと、第１のデータレートよりも高い第２のデータレートで送信されるＭＰＤＵとを備えるＡ−ＭＰＤＵであり得る。たとえば、プリアンブルは６Ｍｂｐｓで送信され得、ＭＰＤＵは２４Ｍｂｐｓで送信され得るが、他のデータレートが可能である。
【００４７】
[0055]終了メッセージ生成器６１０は、第１のデータレートで終了メッセージを送信するように構成され得る。終了メッセージはＣＴＳメッセージであり得る。代替的に、終了メッセージは肯定応答ＡＣＫメッセージを含み得る。終了メッセージは、さらなるＡＣＫが送られないであろうことを示し得る。終了メッセージは、他の局１１５がＥＩＦＳ期間の間待つことなしにバックオフカウントを開始し得るという、他の局１１５へのインジケータであり得る。終了メッセージは、第１のデータレートなどの低いデータレートで送られ得る。たとえば、終了メッセージは６Ｍｂｐｓで送られ得る。
【００４８】
[0056]データレートセレクタ６１５は、第１のメッセージ生成器６０５および終了メッセージ生成器６１０と協調して、送信のためのデータレートを選択するように構成され得る。たとえば、データレートセレクタ６１５は、第１のメッセージのプリアンブルが６Ｍｂｐｓのような低いデータレートで送られることになり、第１のメッセージの別の部分は２４Ｍｂｐｓなどのより高いデータレートで送られることになると決定し得る。データレートセレクタ６１５は、次いで、終了メッセージがより低いデータレートで送信され得ると決定し得る。
【００４９】
[0057]受信機５０５−ａは、終了メッセージを送信するより前に第２のメッセージを受信するように構成され得る。受信機５０５−ａは、第１のデータレートで送信される第３の部分と、第１のデータレートよりも高い第３のデータレートで送信される第４の部分とを備える第２のメッセージを受信するように構成され得る。
【００５０】
[0058]図７に、様々な実施形態による、ＷＬＡＮ７００の図を示す。ＷＬＡＮ７００は、図１〜図５を参照しながら説明したアクセスポイント１０５のうちの１つの一例であり得るアクセスポイント１０５に通信可能に結合された、図１〜図５を参照しながら説明した局１１５のうちの１つの一例であり得るワイヤレスデバイス７５０を含み得る。ワイヤレスデバイス７５０はまた、アクセスポイント１０５であり得る。ワイヤレスデバイス７５０は、概して、通信を送信するための構成要素と通信を受信するための構成要素とを含む、双方向の音声およびデータ通信のための構成要素を含み得る。
【００５１】
[0059]ワイヤレスデバイス７５０は、（１つまたは複数の）アンテナ７４０と、トランシーバ７３５と、プロセッサ７０５と、（ソフトウェア（ＳＷ）７２０を含む）メモリ７１５とを含み得、それらは、それぞれ（たとえば、１つまたは複数のバス７４５を介して）直接にまたは間接的に互いに通信し得る。トランシーバ７３５は、上記で説明したように、（１つまたは複数の）アンテナ７４０あるいは１つまたは複数のワイヤードもしくはワイヤレスリンクを介して、１つまたは複数のネットワークと双方向に通信するように構成され得る。たとえば、トランシーバ７３５は、アクセスポイント１０５と双方向に通信するように構成され得る。トランシーバ７３５は、パケットを変調し、変調されたパケットを送信のために（１つまたは複数の）アンテナ７４０に与え、（１つまたは複数の）アンテナ７４０から受信されたパケットを復調するように構成されたモデムを含み得る。ワイヤレスデバイス７５０は単一のアンテナ７４０を含み得るが、ワイヤレスデバイス７５０はまた、複数のワイヤレス送信を同時に送信または受信することが可能な複数のアンテナ７４０を有し得る。トランシーバ７３５はまた、１つまたは複数のＡＰ１０５と同時に通信することが可能であり得る。
【００５２】
[0060]メモリ７１５は、ランダムアクセスメモリ（ＲＡＭ）と読取り専用メモリ（ＲＯＭ）とを含み得る。メモリ７１５は、実行されるとプロセッサ７０５に本明細書で説明する様々な機能（たとえば、呼処理、データベース管理、キャリアモードインジケータの処理、ＣＳＩを報告することなど）を実行させるように構成された命令を含んでいるコンピュータ可読、コンピュータ実行可能ソフトウェア／ファームウェアコード７２０を記憶し得る。代替的に、コンピュータ実行可能ソフトウェア／ファームウェアコード７２０は、プロセッサ７０５によって直接的に実行可能でないことがあるが、（たとえば、コンパイルされ実行されると）コンピュータに本明細書で説明する機能を実行させるように構成され得る。プロセッサ７０５は、インテリジェントハードウェアデバイス、たとえば、中央処理ユニット（ＣＰＵ）、マイクロコントローラ、特定用途向け集積回路（ＡＳＩＣ）などを含み得、ランダムアクセスメモリ（ＲＡＭ）および読取り専用メモリ（ＲＯＭ）を含み得る。メモリ７１５は、実行されるとプロセッサ７０５に本明細書で説明する様々な機能（たとえば、呼処理、データベース管理、キャリアモードインジケータの処理、ＣＳＩを報告することなど）を実行させるように構成された命令を含んでいるコンピュータ可読、コンピュータ実行可能ソフトウェア／ファームウェアコード７２０を記憶し得る。代替的に、コンピュータ実行可能ソフトウェア／ファームウェアコード７２０は、プロセッサ７０５によって直接的に実行可能でないことがあるが、（たとえば、コンパイルされ実行されると）コンピュータに本明細書で説明する機能を実行させるように構成され得る。プロセッサ７０５は、インテリジェントハードウェアデバイス、たとえば、中央処理ユニット（ＣＰＵ）、マイクロコントローラ、特定用途向け集積回路（ＡＳＩＣ）などを含み得る。
【００５３】
[0061]ワイヤレスデバイス７５０はまた、図５および図６に関するＥＩＦＳ回避器５１０の機能を実行するように構成され得るＥＩＦＳ回避器７１０を含み得る。ワイヤレスデバイス７５０はまた、ＥＩＦＳ回避器７１０と協調して第１のメッセージと終了メッセージとをアドレス指定するように構成され得るメッセージアドレスセレクタ７２５を含み得る。メッセージアドレスセレクタ７２５は、終了メッセージを終了メッセージの送信機にアドレス指定するように構成され得る。代替的に、メッセージアドレスセレクタ７２５は、終了メッセージを送信機会の最新の受信側にアドレス指定するように構成され得る。さらに、メッセージアドレスセレクタ７２５は、終了メッセージをグループアドレスにアドレス指定するように構成され得る。メッセージアドレスセレクタ７２５はまた、終了メッセージをランダムアドレスにアドレス指定するように構成され得る。
【００５４】
[0062]ワイヤレスデバイス７５０はまた、第１のメッセージの持続時間フィールド中で終了メッセージの終わりまで拡張する持続時間を示すように構成され得るメッセージ持続時間セレクタ（a message duration selector）７３０を含み得る。終了メッセージの持続時間はＳＩＦＳを含み得る。ＥＩＦＳ回避器７１０、メッセージアドレスセレクタ７２５、およびメッセージ持続時間セレクタ７３０のいずれかまたはすべては、コンピュータ実行可能ソフトウェア／ファームウェアコード７２０中で具現化され得ることを理解されよう。代替的に、これらの構成要素のいずれかまたはすべては、別個の、または結合／一体化されたハードウェア構成要素として実装され得る。
【００５５】
[0063]図８に、様々な実施形態による、ＷＬＡＮにおいてＥＩＦＳを回避するための方法を示すフローチャート８００を示す。フローチャート８００の機能は、図１〜図７を参照しながら説明したように、局１１５、ＡＰ１０５、あるいはワイヤレスデバイス５５０、６５０、または７５０などのワイヤレスデバイスまたはそれの構成要素によって実装され得る。フローチャート８００のブロックは、図５〜図７に関するＥＩＦＳ回避器５１０によって実行され得る。
【００５６】
[0064]ブロック８０５において、ワイヤレスデバイスは、ＴＸＯＰ中に第１のメッセージを送信し、ここにおいて、第１のメッセージが、第１のデータレートで送信される第１の部分と、第１のデータレートよりも高い第２のデータレートで送信される第２の部分とを備える。ブロック８０５の機能は、図６を参照しながら上記で説明したように、データレートセレクタ６１５または送信機５１５−ａと協調して第１のメッセージ生成器６０５によって実行され得る。
【００５７】
[0065]ブロック８１０において、ワイヤレスデバイスは、第１のデータレートで終了メッセージを送信する。終了メッセージは、ワイヤレスデバイスのためのＴＸＯＰが終わったことを示し得る。代替的に、終了メッセージは、さらなるＡＣＫがワイヤレスデバイスによって送られないであろうことを示し得る。終了メッセージは、他の局１１５がＥＩＦＳ期間の間待つことなしにバックオフカウントを開始し得るという、他の局１１５へのインジケータであり得る。終了メッセージは、第１のデータレートなどの低いデータレートで送られ得る。たとえば、終了メッセージは６Ｍｂｐｓで送られ得る。終了メッセージはまた、ＡＣＫメッセージまたはＣＴＳメッセージを備え得る。ブロック８１０の機能は、図６を参照しながら上記で説明したように、データレートセレクタ６１５または送信機５１５−ａと協調して終了メッセージ生成器６１０によって実行され得る。
【００５８】
[0066]フローチャート８００の方法は一実装形態にすぎないこと、ならびに方法の動作、およびステップは、他の実装形態が可能であるように、並べ替えられるかまたは場合によっては変更され得ることに留意されたい。
【００５９】
[0067]図９に、様々な実施形態による、ＷＬＡＮにおいてＥＩＦＳを回避するための方法を示すフローチャート９００を示す。フローチャート９００の機能は、図１〜図７を参照しながら説明したように、局１１５、ＡＰ１０５、あるいはワイヤレスデバイス５５０、６５０、または７５０などのワイヤレスデバイスまたはそれの構成要素によって実装され得る。フローチャート９００のブロックは、図５〜図７に関するＥＩＦＳ回避器５１０によって実行され得る。
【００６０】
[0068]ブロック９０５において、ワイヤレスデバイスは、ＴＸＯＰ中に第１のメッセージを送信し、ここにおいて、第１のメッセージが、第１のデータレートで送信される第１の部分と、第１のデータレートよりも高い第２のデータレートで送信される第２の部分とを備える。ブロック８０５の機能は、図６を参照しながら上記で説明したように、データレートセレクタ６１５または送信機５１５−ａと協調して第１のメッセージ生成器６０５によって実行され得る。
【００６１】
[0069]ブロック９１０において、ワイヤレスデバイスは、第１のデータレートで送信される第３の部分と、第３のデータレートで送信される第４の部分とを備える第２のメッセージを受信する。第２のメッセージはＡ−ＭＰＤＵであり得るか、あるいは第２のメッセージは、１つまたは複数の他のメッセージが正しく受信されたかどうかを示すＢＡまたは別のタイプのＡＣＫであり得る。第２のメッセージがＢＡまたはＡＣＫである場合など、場合によっては、さらなる肯定応答メッセージは予想されない。第２のメッセージの少なくとも一部は、第１のメッセージのある部分のデータレートよりも高いデータレートで送られ得る。たとえば、それは２４Ｍｂｐｓのレートで送られ得る。ブロック９１０の機能は、図５〜図６を参照しながら上記で説明したように受信機５０５によって実行され得る。
【００６２】
[0070]ブロック９１５において、ワイヤレスデバイスは、第１のデータレートで終了メッセージを送信する。ブロック９１５の機能は、図６を参照しながら上記で説明したように、データレートセレクタ６１５または送信機５１５−ａと協調して終了メッセージ生成器６１０によって実行され得る。フローチャート９００の方法は一実装形態にすぎないこと、ならびに方法の動作、およびステップは、他の実装形態が可能であるように、並べ替えられるかまたは場合によっては変更され得ることに留意されたい。
【００６３】
[0071]添付の図面に関して上記に記載した詳細な説明は、例示的な実施形態について説明しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。説明した実施形態の概念を不明瞭にすることを回避するために、よく知られている構造およびデバイスがブロック図の形式で示されている。
【００６４】
[0072]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６５】
[0073]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００６６】
[0074]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００６７】
[0075]コンピュータ可読媒体は、コンピュータ記憶媒体と、ある場所から別の場所へのコンピュータプログラムの転送を可能にする任意の媒体を含むコンピュータ通信媒体との両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【００６８】
[0076]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に一致する最も広い範囲を与えられるべきである。
【図１】
2017512413.tif 000003
【図２】
2017512413.tif 000004
【図３】
2017512413.tif 000005
【図４】
2017512413.tif 000006
【図５】
2017512413.tif 000007
【図６】
2017512413.tif 000008
【図７】
2017512413.tif 000009
【図８】
2017512413.tif 000010
【図９】
2017512413.tif 000011
【国際調査報告】
2017512413.tif 000012
2017512413.tif 000013
2017512413.tif 000014